(57)【要約】【課題】  建物躯体に建て込む外壁パネルの建て込み精度が悪くても内装用の面板を取り付けた際の仕上げに影響を与えることがないとともに、内装用の面板の強度を確保することができる外壁構造を提供する。【解決手段】  建物躯体Ｋに建て込む外壁パネル１の建物内方側の面の上下中間部に横桟２を設けると共に、前記外壁パネル１の建物内方側に横桟２の配置スペースをあけて隣接する天井部分と床部分とにそれぞれランナー４をその開口部４０が対向するように設け、前記両ランナー４間にスタッド５を架け、前記スタッド５の建物外方側の面を建物躯体Ｋに建て込んだ外壁パネル１に設けた横桟２に固定すると共に、スタッド５の建物内方側の面に内装用の面板６を取付けた。【選択図】        図１
2006161370.tif 000002
【特許請求の範囲】
【請求項１】
建物躯体に建て込む外壁パネルの建物内方側の面の上下中間部に横桟を設けると共に、前記外壁パネルの建物内方側に横桟の配置スペースをあけて隣接する部分の天井部分と床部分とにそれぞれランナーをその開口部が対向するように設け、前記両ランナー間にスタッドを設け、前記スタッドの建物外方側の面を建物躯体に建て込んだ外壁パネルに設けた横桟に固定すると共に、スタッドの建物内方側の面に内装用の面板を取付けて成ることを特徴とする外壁構造。
【発明の詳細な説明】
【技術分野】
【０００１】
本発明は、外壁パネルを建物躯体に建て込んで構成される外壁構造に関するものである。
【背景技術】
【０００２】
従来より、外壁構造として外壁パネルを建物躯体に建て込んで構成されるものが用いられている（例えば特許文献１参照）。外壁パネルは正面視略矩形状をしたパネル枠の建物外方側の面に外装材を取り付けて構成されるもので、パネル枠を建物躯体に建て込むとともに、パネル枠の建物内方側の面に内装用の面板を取り付けるものであった。
【０００３】
しかしながら、このような従来の外壁構造においては、内装用の面板を外壁パネルのパネル枠に直接取り付けるため、外壁パネルの建物躯体への建て込み精度が悪い場合には、内装用の面板を取り付けた際の仕上げにまで影響してしまうものであった。そこで、前記内装用の面板の仕上げを外壁パネルの建て込み精度に影響されないように、内装用の面板を外壁パネルに取り付けずに設置することが望まれるようになった。そしてこの場合、間仕切り用のパネルを配置することが考えられるが、間仕切り用のパネルは、略矩形状をした枠体を建て込むとともに、この枠体の建物内外側の両面に面板を貼り付けて構成されているため、建て込んだ枠体の建物外方側の面に面板を貼り付けることができず、強度が確保されないものであった。
【特許文献１】特開２００２−４７７４７号公報
【発明の開示】
【発明が解決しようとする課題】
【０００４】
本発明は上記の従来の問題点に鑑みて発明したものであって、その目的とするところは、建物躯体に建て込む外壁パネルの建て込み精度が悪くても内装用の面板を取り付けた際の仕上げに影響を与えることがないとともに、強度を確保することができる外壁構造を提供することを課題とするものである。
【課題を解決するための手段】
【０００５】
上記課題を解決するため本発明の外壁の構造は、建物躯体Ｋに建て込む外壁パネル１の建物内方側の面の上下中間部に横桟２を設けると共に、前記外壁パネル１の建物内方側に横桟２の配置スペースをあけて隣接する部分の天井部分と床部分とにそれぞれランナー４をその開口部４０が対向するように設け、前記両ランナー４間にスタッド５を設け、前記スタッド５の建物外方側の面を建物躯体Ｋに建て込んだ外壁パネル１に設けた横桟２に固定すると共に、スタッド５の建物内方側の面に内装用の面板６を取付けて成ることを特徴とするものである。このような構成とすることで、外壁パネル１とは別に建物躯体Ｋに取り付けたランナー４及びスタッド５に内装用の面板６を取り付けることとなって、外壁パネル１の建物躯体Ｋへの建て込み精度が悪くても、内装用の面板６の仕上げに影響を与えないとともに、外壁パネル１に設けた横桟２にスタッド５を固定するため強度が確保されるものである。
【発明の効果】
【０００６】
本発明にあっては、外壁パネルとは別に建物躯体に取り付けたランナー及びスタッドに内装用の面板を取り付けることで、外壁パネルの建物躯体への建て込み精度が悪くても、内装用の面板の仕上げに影響を与えないとともに、外壁パネルに設けた横桟にスタッドを固定するため、強度を確保することができるものである。
【発明を実施するための最良の形態】
【０００７】
以下、本発明を添付図面に示す実施形態に基いて説明する。
【０００８】
外壁パネル１は、図３等に示すように、略矩形状をしたパネル枠１１の建物外方側にＡＬＣ板のような外装材１２を貼って形成され、その高さを建物の略一階分に相当する高さに形成し、建物躯体Ｋの天井部分及び床部分にパネル枠１１を固定することで建て込まれるものである。パネル枠１１は、上下の横枠材１１ａと左右の縦枠材１１ｂとを略矩形状に枠組みした金属製のもので、左右方向の中間部に上下の横枠材１１ａ間に中間縦枠材１１ｃを架設してある。外装材１２の外面側にはデザイン等を向上するために凹溝を凹設してあり、更に外装材１２の建物外方側の面には外観を向上したり防水性を確保したりするために塗装を施してある。
【０００９】
外壁パネル１の建物内方側の面の上下方向の中間部には木材等からなる横桟２を設けるもので、これは、パネル枠１１の左右の縦枠材１１ｂの建物内方側の面に架設して建物内方側に突出するように形成してある。
【００１０】
上述した外壁パネル１は、施工現場で上述したように建物躯体Ｋの基礎３０及び梁３１にパネル枠１１を固定することで建て込まれるものであり、建て込まれた外壁パネル１の建物内方側には、横桟２の配置スペースをあけてランナー４が建物躯体Ｋに取り付けられる。本実施形態では、建物躯体Ｋの基礎３０にＬ字状をした固定金具３０ａをアンカーボルト・ナット等からなる固定具３０ｂにて固定するとともに、この固定金具３０ａにボルト・ナット等からなる固着具３０ｃにてパネル枠１１を固定して外壁パネル１の下側の建て込みが行われ、建物躯体Ｋの梁３１の下面に逆Ｌ字状をした固定金具３１ａを固定するとともに、この固定金具３１ａにボルト・ナット等からなる固着具３１ｂにてパネル枠１１を固定して外壁パネル１の上側の建て込みが行われる。
【００１１】
ランナー４は軽鉄で形成されるもので、図１乃至図３に示すように、天井部分と床部分とにそれぞれその開口部４０が対向するように固定される。本実施形態では、ランナー４は断面略コ字状をしたもので、天井部分の下面すなわち、建物躯体Ｋの梁３１の下側の固定金具３１ａに取付けた梁下部材３２を固定ねじ３２ａによって取り付けて天井部分が形成してあり（図４（ａ）参照）、この梁下部材３２の下面に上側のランナー４をその開口部４０が下方を向くように固着具４１で固定してある（図４（ｂ）参照）。また、床部分の土台３３の上面に下側のランナー４をその開口部４０が上方を向くように固定してある。
【００１２】
このランナー４は、平面視において外壁パネル１の建物内方側に横桟２のスペースをあけて、すなわち、平面視において外壁パネル１の建物内方側に設けた横桟２の建物内方側にほぼ隣接するように固定される。そして、この上下の両ランナー４間にはスタッド５が設けられる。
【００１３】
スタッド５は、図１乃至図３に示すように、平面視略矩形状をした軽鉄で形成される棒状のもので、その建物外方側の面が固定具７を介して外壁パネル１の横桟２に固定されるとともに、建物内方側の面に内装用の面板６が取り付けられる。
【００１４】
固定具７は、図５、図３に示すように、横桟２に上方より被嵌する下方に開口するコ字状をした横桟取付部７１と、横桟取付部７１の建物内方側の側片の左右両端辺から建物内方側に向けて突出する一対のスタッド取付片７２とからなる。横桟取付部７１は、横桟２の縦枠材１１ｂや中間縦枠材１１ｃに取り付けられていない部分に上方より被嵌し、横桟取付部７１の建物内方側の側片に形成した貫通孔７３を介して釘やビス等の固着具７４を横桟２に固着して取り付けられる。
【００１５】
スタッド５は、横桟２に取り付けられた固定具７から突出する一対のスタッド取付片７２間に挿入して上下ランナー４間に配置し、固定具７のスタッド取付片７２に形成した貫通孔７５を介して釘やビス等の固着具７６をスタッド５に固着することで横桟２に固定される。ここで、固定具７のスタッド取付片７２の横桟取付部７１からの突出長さには余裕を持たせてあり、すなわち本実施形態では図５に示すようにスタッド５の幅程度に形成してあり、これによって横桟２に対するスタッド５の建物内外方向位置の調整代を形成してある。そして、このスタッド５の建物内方側の面に内装用の面板６が取り付けられて本発明の外壁構造が構成される。
【００１６】
またこの時、外壁パネル１のパネル枠１１の建物内方側の面に面板（図示せず）を貼り付け、この面板と内装用の面板６との間に断熱材８（図１、図２参照）を充填してもよい。
【００１７】
上記外壁構造を構成する際の施工順序の一例としては、横桟２を設けた外壁パネル１を建物躯体Ｋに建て込むかあるいは建物躯体Ｋに建て込んだ外壁パネル１に横桟２を設ける。そして、平面視において外壁パネル１の建物内方側に横桟２のスペースをあけてランナー４をそれぞれ天井部分と床部分とに固定するとともに、固定具７を横桟２に取り付ける。そして、上下のランナー４間にスタッド５を配置するとともに固定具７に固定してスタッド５をランナー４間に設け、このスタッド５の建物内方側の面に内装用の面板６を設けて終了する。また、予め上下のランナー４間にスタッド５を設けるとともに横桟２に取り付けられた固定具７をスタッド５に取り付けてこれらをユニット化しておき、これを施工現場に持ち込んで建物躯体Ｋに建て込んでもよい。
【００１８】
以上のように、建物躯体Ｋに外壁パネル１とは別に取り付けたランナー４及びスタッド５に内装用の面板６を取り付けることで、外壁パネル１の建物躯体Ｋへの建て込み精度が悪くても、ランナー４及びスタッド５の建物躯体Ｋへの取り付けを精度良く行っておけば、内装用の面板６の内面を面一にして仕上げ状態を良くすることができ、更にこの時、内装用の面板６はランナー４及び外壁パネル１を介して建物躯体Ｋへ取り付けたスタッド５に取り付けるため強度が確保され、内装用の面板６を補強する必要がないものである。
【図面の簡単な説明】
【００１９】
【図１】本発明の一実施形態の垂直断面図である。
【図２】同上の水平断面図である。
【図３】同上の外壁パネル、横桟、ランナー、スタッド、固定具の分解斜視図である。
【図４】（ａ）（ｂ）は同上の天井部の説明図である。
【図５】固定具の横桟及びスタッドへの取り付けを説明する断面図である。
【符号の説明】
【００２０】
１    外壁パネル
２    横桟
３１  梁
３２  梁下部材
３３  土台
４    ランナー
４０  開口部
５    スタッド
６    面板
【図１】
2006161370.tif 000003
【図２】
2006161370.tif 000004
【図３】
2006161370.tif 000005
【図４】
2006161370.tif 000006
【図５】
2006161370.tif 000007